(57)【要約】【課題】  ＣＡＥ解析において、解析作業の進捗管理を行う。【解決手段】  ＣＡＥ解析の解析手順がプログラムとして格納されている複数台の端末装置１０Ａ，１０Ｂ，１０Ｃと、ＣＡＥ解析の進捗状況を管理する管理装置２０とが通信ネットワークＮを介して接続されたシステムであって、管理装置２０は、ＣＡＥ解析の解析作業を複数のステップに分けた進捗管理情報を作成して各端末装置１０Ａ，１０Ｂ，１０Ｃに送信し、各端末装置１０Ａ，１０Ｂ，１０Ｃは、受け取った進捗管理情報に従って自らの装置が担当している１または複数のステップの解析作業の進捗状況情報を所定のタイミングで管理装置２０に送信し、管理装置２０は、各端末装置１０Ａ，１０Ｂ，１０Ｃから送信されてくる進捗状況情報を集計することによって各端末装置１０Ａ，１０Ｂ，１０Ｃで連係して行われているＣＡＥ解析作業の進捗状況を一元管理する。【選択図】  図１
2006048364.tif 000002
【特許請求の範囲】
【請求項１】
ＣＡＥ解析の解析手順がプログラムとして格納されている端末装置と、ＣＡＥ解析の進捗状況を管理する管理装置とが通信回線を介して接続されたＣＡＥ解析進捗管理システムであって、
ＣＡＥ解析の解析作業を複数のステップに分けた進捗管理情報を作成し、
前記端末装置は、作成された進捗管理情報に従って各ステップの解析作業の進捗状況情報を所定のタイミングで前記管理装置に送信し、
前記管理装置は、端末装置から送信されてくる進捗状況情報を集計することによって解析作業の進捗状況を一元管理することを特徴とするＣＡＥ解析進捗管理システム。
【請求項２】
ＣＡＥ解析の解析手順がプログラムとして格納されている複数台の端末装置と、ＣＡＥ解析の進捗状況を管理する管理装置とが通信ネットワークを介して接続されたＣＡＥ解析進捗管理システムであって、
前記各端末装置は、各端末装置からの個別の入力により、一つの解析対象物に対し前記通信ネットワークを通じて連係してＣＡＥ解析の解析作業を実行可能に設けられており、  前記管理装置は、ＣＡＥ解析の解析作業を複数のステップに分けた進捗管理情報を作成して各端末装置に送信し、
各端末装置は、受け取った進捗管理情報に従って自らの装置が担当している１または複数のステップの解析作業の進捗状況情報を所定のタイミングで前記管理装置に送信し、
前記管理装置は、各端末装置から送信されてくる進捗状況情報を集計することによって各端末装置で連係して行われているＣＡＥ解析作業の進捗状況を一元管理することを特徴とするＣＡＥ解析進捗管理システム。
【請求項３】
前記進捗管理情報は、作業予定工数と、進捗確認ステップと、進捗状況情報を前記管理装置に送信するための管理者情報とを含み、前記端末装置は、前記進捗確認ステップによって決定されたタイミングで進捗状況情報を送信することを特徴とする請求項１または請求項２に記載のＣＡＥ解析進捗管理システム。
【請求項４】
前記端末装置は、解析作業を開始すると前記進捗管理情報に従って作業状況を記録することを特徴とする請求項１ないし請求項３のいずれかに記載のＣＡＥ解析進捗管理システム。
【発明の詳細な説明】
【技術分野】
【０００１】
本発明は、製品の強度や剛性等の品質を評価するためのコンピュータシミュレーションの分野、及び図面品質向上のために設計を検討するコンピュータシミュレーションの分野において利用されるＣＡＥ解析の進捗管理システムに関する。
【背景技術】
【０００２】
種々の製品の設計においてＣＡＥ解析の技術を利用する場合、従来は、解析の専門家が複雑な強度計算等を行って製品を設計していた。すなわち、ＣＡＥ解析では、微分方程式で表現される物理法則をベースとしているため、ユーザに微分方程式の理解と数値解析に必然的に要求される数学的な約束ごとの理解とが要求されるので、誰でもが簡単にＣＡＥ解析を行えるものではなかった。
【０００３】
そこで、本出願人は、このような問題を解決した汎用解析システムをすでに提案している（例えば、特許文献１参照）。この汎用解析システムは、ＣＡＥ解析の解析手順がプログラムとして格納された汎用解析システムであって、対象物の解析手順画面を表示する表示手段と、解析の各種対象物について共通に適用される汎用解析手順プログラムを格納した汎用解析手順プログラム格納手段と、解析する対象物に特有の解析ノウハウを記述する解析ノウハウ記述画面を前記表示手段に表示させるための解析ノウハウ記述画面表示プログラムを格納した解析ノウハウ記述画面表示プログラム格納手段と、前記解析ノウハウ記述画面に記述された特定の対象物の解析ノウハウを格納する解析ノウハウ格納手段と、前記汎用解析手順プログラム格納手段に格納されている汎用解析手順プログラム及び前記解析ノウハウ格納手段に格納されている特定の対象物の解析ノウハウに基づいて、特定の対象物の解析計算処理を実行する解析計算処理手段とを備え、前記汎用解析手順プログラムは、少なくともメッシュの作成ステップ、材料の定義ステップ、及び境界条件の設定ステップが設けられ、前記各ステップに対応する入力画面に前記解析ノウハウ記述画面がリンクされ、前記解析ノウハウ記述画面を介して、予め解析ノウハウ格納手段に格納された特定の対象物の前記各ステップに対応する解析ノウハウが直接表示されるようになっている。この特許文献１記載の発明によれば、解析の専門家でなくても、ＣＡＥ解析を容易かつ確実に行うことができる。
【０００４】
しかしながら、上記特許文献１記載の汎用解析システムは、任意の端末装置に搭載されることによって、当該端末装置において自己完結的に稼働するものであった。そのため、例えば、複数の作業者が分担して解析作業を行おうとすると、予め明確に解析のための方針をたてておかなければならず、一部の設定条件の変更は、全ての作業者に通達（例えばデータファイル、作成モデルのＦａｘによる通知等）を行う必要があり、また、例えば東京の担当者（初心者）が解析を実行しようとしたときに、操作上の不明点があっても、大阪にいる他の担当者（熟練者）に問い合わせるのは、通常の知識しか有しない初心者にとってはかなりの困難と手間を有するものであり、また、熟練者にとっても、初心者が何に困っているのかを把握することが難しいという問題があり、的確なアドバイスを行うことは大変難しいものであった。
【０００５】
そのため、本出願人は、さらにこのような問題を解決した汎用解析システムをすでに提案している。この汎用解析システムは、ＣＡＥ解析の解析手順がプログラムとして格納されている複数台の端末装置が通信ネットワークを介して接続されたシステム構成であって、前記各端末装置は、各端末装置からの個別の入力により、一つの解析対象物に対し前記通信ネットワークを通じて同時にかつ連係してＣＡＥ解析の解析手順を実行するとともに、相互に解析作業のサポートを行うサポート機能を備えてた構成となっている。
【０００６】
このような構成とすることで、複数台の端末装置で同じ解析対象物のＣＡＥ解析をリアルタイムに共有することができ、ＣＡＥ解析のさらなる汎用性や、より柔軟な使用形態が可能となる。
【特許文献１】特許登録第３３８２９３４号公報
【発明の開示】
【発明が解決しようとする課題】
【０００７】
ところで、複数台の端末装置で同じ解析対象物のＣＡＥ解析をリアルタイムに共有する場合、それぞれの端末装置でＣＡＥ解析がどの程度進んでいるかを管理する必要がある。さもないと、ある１台の端末装置では担当している解析部分の処理を既に終了しているのに対し、他の１台の端末装置では担当している解析部分にまだ着手もしていないといった状況が発生した場合、全体としての解析処理が大幅に遅れる結果となる。そのため、このような解析処理の遅延を防止するためにも、各端末装置でのＣＡＥ解析の進捗状況を管理する必要がある。また、同じ解析対象物のＣＡＥ解析を複数台の端末装置で共有する場合のみならず、１台の端末装置でＣＡＥ解析を行う場合でも、ＣＡＥ解析には時間がかかるため、ＣＡＥ解析の進捗状況を知ることは重要である。しかしながら、従来はこのようなＣＡＥ解析処理において進捗管理を行う装置ないしシステムは提供されていないのが現状である。
【０００８】
本発明はかかる問題点を解決すべく創案されたもので、その目的は、ＣＡＥ解析において、解析作業の進捗管理を行うことのできるＣＡＥ解析進捗管理システムを提供することにある。
【課題を解決するための手段】
【０００９】
本発明のＣＡＥ解析進捗管理システムは、ＣＡＥ解析の解析手順がプログラムとして格納されている端末装置と、ＣＡＥ解析の進捗状況を管理する管理装置とが通信回線を介して接続されたＣＡＥ解析進捗管理システムであって、ＣＡＥ解析の解析作業を複数のステップに分けた進捗管理情報を作成し、前記端末装置は、作成された進捗管理情報に従って各ステップの解析作業の進捗状況情報を所定のタイミングで前記管理装置に送信し、前記管理装置は、端末装置から送信されてくる進捗状況情報を集計することによって解析作業の進捗状況を一元管理することを特徴とする。
【００１０】
また、本発明のＣＡＥ解析進捗管理システムは、ＣＡＥ解析の解析手順がプログラムとして格納されている複数台の端末装置と、ＣＡＥ解析の進捗状況を管理する管理装置とが通信ネットワークを介して接続されたＣＡＥ解析進捗管理システムであって、前記各端末装置は、各端末装置からの個別の入力により、一つの解析対象物に対し前記通信ネットワークを通じて連係してＣＡＥ解析の解析作業を実行可能に設けられており、前記管理装置は、ＣＡＥ解析の解析作業を複数のステップに分けた進捗管理情報を作成して各端末装置に送信し、各端末装置は、受け取った進捗管理情報に従って自らの装置が担当している１または複数のステップの解析作業の進捗状況情報を所定のタイミングで前記管理装置に送信し、前記管理装置は、各端末装置から送信されてくる進捗状況情報を集計することによって各端末装置で連係して行われているＣＡＥ解析作業の進捗状況を一元管理することを特徴とする。
【００１１】
この場合、前記進捗管理情報は、作業予定工数、進捗確認ステップ、進捗状況情報を前記管理装置に送信するための管理者情報などを含み、前記端末装置は、前記進捗確認ステップによって決定されたタイミングで進捗状況情報を送信する。
【００１２】
このような特徴を有する本発明のＣＡＥ解析進捗管理システムによれば、管理装置は、進捗管理情報を作成して端末装置に送信し、端末装置は、解析作業を開始すると、作業開始日時や作業者のユーザ名、ステップの進行状況などの作業状況を記録するとともに、受け取った進捗管理情報に従い、ステップの解析作業の進捗状況情報を所定のタイミングで管理装置に送信する。ここで、所定のタイミングとは、各ステップの開始や終了、管理者が決めた日数、システムの終了などのタイミングとする。このように、端末装置は、管理装置が作成した進捗管理情報に従って解析作業の進捗状況を管理装置に送信するように構成したので、管理装置では、端末装置で行われているＣＡＥ解析作業の進捗状況、すなわち、現在何ステップ目の作業まで進んでいるか、またその作業をどのくらいの工数で終えることができたか、などの進捗状況を管理することができる。
【発明の効果】
【００１３】
本発明によれば、端末装置は、管理装置が作成した進捗管理情報に従って解析作業の進捗状況を管理装置に送信するように構成したので、管理装置では、端末装置で行われているＣＡＥ解析作業の進捗状況、すなわち、現在何ステップ目の作業まで進んでいるか、またその作業をどのくらいの工数で終えることができたか、などの進捗状況の管理や工数管理を一括して行うことができる。
【発明を実施するための最良の形態】
【００１４】
以下、本発明の実施の形態について、図面を参照して説明する。
【００１５】
図１は、本実施形態のＣＡＥ解析進捗管理システムのシステム構成を示すイメージ図である。
【００１６】
本実施形態のＣＡＥ解析進捗管理システムは、ＣＡＥ解析の解析手順がプログラムとして格納されている複数台の端末装置１０（１０Ａ、１０Ｂ、１０Ｃ，・・・）と、ＣＡＥ解析の進捗状況を管理する管理装置２０とが、通信ネットワークＮを介して相互に接続された構成となっている。
【００１７】
図２は、図１に示すＣＡＥ解析進捗管理システムにおける管理装置２０の一実施形態を概念的に示したブロック図である。
【００１８】
この管理装置２０は、大別すると、管理装置全体を制御する制御部２１と、ＣＡＥ解析の解析作業を複数のステップに分けた進捗管理情報を作成して各端末装置１０に送信する進捗管理情報作成部２２と、作成した進捗確認情報を保存する進捗確認情報格納部２３と、進捗状況情報を保存する進捗状況情報格納部２４と、各端末装置１０から送信されてくる進捗状況情報を各端末装置１０に関連付けて進捗状況情報格納部２４に保存するとともに、保存されている進捗状況情報を集計して一元管理する進捗状況情報集計部２５と、通信ネットワークＮを介して各端末装置１０と相互に接続するためのネットワークインターフェース（ネットワークＩ／Ｆ）２７とを備えている。
【００１９】
図３は、図１に示すＣＡＥ解析進捗管理システムにおける端末装置１０の一実施形態を概念的に示したブロック図である。
【００２０】
この端末装置１０は、大別すると、対象物の解析手順画面や解析ノウハウ画面を表示する表示部１と、表示部１に表示された解析手順画面の中の任意の項目を操作する際に用いられるマウスやキーボード等からなる入力部２と、この入力部２の操作に従って、各解析手順画面を表示部１に順次表示させるための解析手順画面表示プログラム、及び表示部１に表示される各解析手順画面の中の任意の項目を入力部２によって操作することにより、その項目に対応した解析ノウハウ画面を表示部１に表示させるための解析ノウハウ画面表示プログラムを格納した画面表示プログラム格納部３と、表示部１に表示された解析ノウハウ画面に記述された特定の対象物の解析ノウハウを格納する解析ノウハウ格納部４と、入力部２から入力された情報に従って解析を行う解析計算処理部（解析ソルバー）５と、管理装置２０から送信されてくる進捗管理情報を格納する進捗管理情報格納部９と、これら各部の制御や演算処理を行うプリポスト６及び対話型制御部８と、通信ネットワークＮを介して他の端末装置１０と相互に接続するためのネットワークインターフェース（ネットワークＩ／Ｆ）７とを備えている。
【００２１】
プリポスト６は、演算部６１と、解析情報ファイル部６２と、解析結果ファイル部６  ３とを備えている。演算部６１は、実際の解析に際して要素の形状や要素分割を計算する部分であり、解析情報ファイル部６２は、各入力画面に従って入力部２または３次元ＣＡＤデータより入力された解析対象物の情報を蓄積するための部分であり、解析結果ファイル部６３は解析結果を蓄積する部分である。
【００２２】
対話型制御部８は、解析の各種対象物について共通に適用される汎用解析手順プログラムを格納した汎用解析手順ファイル部８１と解析ノウハウ入出力部８２とを備えている。
【００２３】
解析計算処理部５は、プリポスト６の解析情報ファイル部６２に基づいて、特定の対象物の解析計算処理を実行する。そのため、図示は省略しているが、対象物の解析を行う解析ソルバーと呼ばれる各種解析ソフト（構造解析、熱伝導解析、流動解析、磁場解析、衝撃解析、振動解析、・・・、等のソフト）を具備している。
【００２４】
対話型制御部８は、解析実行時には、画面表示プログラム格納部３に格納されたプログラムに従い、表示部１に解析情報入力画面を順次表示させる処理を実行し、その入力画面中に入力された解析情報をプリポスト６の解析情報ファイル部６２に蓄積する処理を実行する。また、解析情報ファイル部６２に蓄積された解析情報に基づき、解析計算処理部５により実行された対象物の解析結果を解析結果ファイル部６３に蓄積する処理を実行する。ただし、解析ノウハウ画面に関しては、本発明の要部ではないので、本明細書では説明を省略する。
【００２５】
また、対話型制御部８は、各端末装置１０の入力部２からの個別の入力により、一つの解析対象物に対し通信ネットワークＮ及びネットワークＩ／Ｆ７を通じて同時にかつ連係してＣＡＥ解析の解析手順を実行するとともに、相互に解析作業のサポートを行うサポート機能を備えている。サポート機能は、音声情報、文字情報、動画を含む画像情報のうちの少なくとも一つの情報を含んでいる。例えば、文字情報を扱う電子掲示板などがサポート機能として利用される。
【００２６】
なお、上記実施形態では、解析の各種対象物について共通に適用される汎用解析手順プログラムを格納した汎用解析手順ファイル部８１が対話型制御部８に格納されているが、この汎用解析手順ファイル部８１は、通信ネットワークＮ上に配置された進捗管理情報格納部９に格納されていてもよい。この場合、各端末装置１０は、解析実行時に進捗管理情報格納部９に接続して、汎用解析手順プログラムをインストールする。解析実行後は必要に応じてアンインストールすればよい。
【００２７】
図４は、入力部２による入力操作に従い、画面表示プログラム格納部３に格納されている入力画面表示プログラムに従って表示部１に順次表示される解析対象物の形状モデルを表示するモデル画面１００と解析手順を表示するメニュー画面２００との基本的配置構成例を示している。基本的には、モデル画面１００の右側に各種メニュー画面２００が並んだ形で配置されている。
【００２８】
メニュー画面２００は、基本的に３段構成となっており、上段が、どの段階まで解析手順の操作が進んだかを表示するステップ表示窓２０１、中段が、解析手順の内容を表示するための表示窓（ナビゲーションウィンドウ）２０２、下段が、各種の数値や文字等を入力する入力窓２０３となっている。
【００２９】
ここで、汎用解析手順プログラムは、データベースを開くステップから始まり、形状作成ステップ、メッシュ分割ステップ、材料特性値の設定ステップ、解析内容に応じた条件の設定ステップ、解析実行ステップ、結果表示ステップ、の各ステップ（手順）からなっている。また、本実施形態では、通信ネットワークＮを介して複数台の端末装置１０Ａ，１０Ｂ，１０Ｃが相互に接続可能となっていることから、上記各ステップでの処理を端末装置間で共有するために他の端末装置に対して各ステップでの処理情報を送信する情報送信ステップと、他の端末装置から送信されてきた処理情報を自らの処理に反映させる編集ステップと、上記各ステップでの処理に対応した解析作業のサポート情報を例えば電子掲示板により各端末装置間で共有するステップとを備えている。
【００３０】
次に、上記構成のＣＡＥ解析進捗管理システムによるＣＡＥ解析の基本動作について簡単に説明し、その次に、ＣＡＥ解析の処理動作について説明する。そして、最後に、本発明の特徴である進捗管理について説明する。
【００３１】
＜ＣＡＥ解析の基本動作の説明＞
まず、作業者は、本装置を立ち上げて表示部１に図５に示す初期画面２００Ａを表示し、ナビゲーションウィンドウ２０２の中の「新しいＣＡＥを開始する」または「途中のＣＡＥを再開する」のいずれかを選択する。ここでは、「新しいＣＡＥを開始する」が選択されたものとする。なお、「途中のＣＡＥを再開する」が選択された場合には、すでに解析を行っている既存のモデリングデータベースを開くようになっている。
【００３２】
「新しいＣＡＥを開始する」が選択されると、対話型制御部８は、画面表示プログラム格納部３に格納されている画面表示プログラムを起動し、表示部１に図６に示す解析種類選択画面２００Ｂを表示する。作業者は、この解析種類選択画面２００Ｂのナビゲーションウィンドウ２０２に表示されている内容から、今回使用する解析の種類を選択する。具体的には、ナビゲーションウィンドウ２０２に表示されている各項目のアイコン部分にカーソルを移動させてクリックすることにより、いずれかの解析種類を選択することができる。ここでは、「線形強度解析」が選択されたとする。
【００３３】
これにより、表示部１には、図７に示すケース数入力画面２００Ｃが表示される。
【００３４】
次に、作業者は、このケース数入力画面２００Ｃの選択入力窓２０３に、境界条件のケース数を入力し、次に適用ボタン２０４をマウス等でクリックすることにより、境界条件のケース数が決定される。これにより、表示部１には、図８に示す解析手順表示画面２００Ｄが表示される。ただし、図８は、構造解析の場合の解析手順を例示している。
【００３５】
この時点で表示されている解析手順表示画面２００Ｄのナビゲーションウィンドウ２０２には、解析手順を示す各ステップのうち、次に形状作成のステップを選択するように指示する内容が表示されている。具体的には、処理を終了しているナビゲーションのステップが反転色となっており、形状作成のステップの横に矢印が付与されている。作業者は、この指示に従い、ステップ表示窓２０１の形状作成をマウス等でクリックすることにより、表示部１には、図９に示す解析モデル選択画面２００Ｅが表示される。
【００３６】
次に、作業者は、この解析モデル選択画面２００Ｅのナビゲーションウィンドウ２０２に表示されている２種類の解析モデルから、１つの解析モデルを選択する。具体的には、各項目の左側に表示されているアイコン部分にカーソルを移動させてマウス等でクリックすることにより、解析モデルが選択される。ここで、「３次元シェルモデル」が選択されたとすると、表示部１には、図１０に示す形状作成画面２００Ｆが表示される。
【００３７】
次に、作業者は、この形状作成画面２００Ｆのナビゲーションウィンドウ２０２に表示されている２種類の方法から、１つの形状作成方法を選択する。具体的には、各項目の左側に表示されているアイコン部分にカーソルを移動させてマウス等でクリックすることにより、形状作成方法が選択される。ここで、「ＣＡＤファイルを読み込む」が選択されたとすると、表示部１には、図１１に示すＣＡＤファイル選択画面２００Ｇが表示される。
【００３８】
次に、作業者は、このＣＡＤファイル選択画面２００Ｇのナビゲーションウィンドウ２０２に表示されている２種類のＣＡＤファイルから、１つのＣＡＤファイルを選択する。具体的には、各項目の左側に表示されているアイコン部分にカーソルを移動させてマウス等でクリックすることにより、形状作成方法が選択される。ここで、「ＩＧＥＳ」が選択されたとすると、表示部１には、図１２に示すＣＡＤファイル選択画面２００Ｈが表示される。
【００３９】
次に、作業者は、このＣＡＤファイル選択画面２００Ｈのナビゲーションウィンドウ２０２に表示された説明内容に従い、入力窓２０３にトレランスを入力し、適用ボタン２０４をマウス等でクリックすると、表示部１には、図１３に示すＣＡＤファイル選択画面２００Ｉが表示される。
【００４０】
次に、作業者は、このＣＡＤファイル選択画面２００Ｉのナビゲーションウィンドウ２０２に表示されている説明内容に従い、入力窓２０３の上部に表示されているファイルから１つのファイルを選択し、適用ボタン２０４をマウス等でクリックすると、表示部１には、図１４に示すモデル形状を確認するためのモデル画面１００Ｊとモデル確認画面２００Ｊとが表示される。
【００４１】
次に、作業者は、モデル画面１００Ｊに表示された解析モデル（３次元シェルモデル）を必要に応じて視点を変更したり、表示方法を変更したり、ズームを行ったりして、目視により確認すると、ナビゲーションウィンドウ２０２に表示されている「次へ進む」と記載されたアイコンをクリックすることにより、表示部１には、図１５に示すモデル画面１００Ｋと解析手順表示画面２００Ｋとが表示される。
【００４２】
この解析手順表示画面２００Ｋは、図８に示す解析手順表示画面２００Ｄと同じであるが、ここでは、解析手順の各ステップを表示するためのナビゲーションウィンドウ２０２の表示内容が、次のメッシュ分割を選択するように指示する内容となっている。
【００４３】
図１６は、モデル画面１００Ｌとメッシュ分割確認画面２００Ｌを示している。このメッシュ分割確認画面２００Ｌは、どの段階までの入力が完了したかを表示するステップ表示窓２０１と、局所分割の有無を対話形式で確認するナビゲーションウィンドウ２０２と、ユーザ作業エリアである入力窓２０３とを含んで構成されている。
【００４４】
以後、詳細な解析手順の説明は省略するが、作業者は、メニュー画面２００に準備表示されるナビゲーション手順に従って、メッシュ分割、材料選択（材料物性値の決定）、解析内容に応じた条件の設定（例えば、構造解析では、固定条件の設定や負荷条件の設定、流動解析では成形条件の設定、熱解析では境界条件の設定等）、解析実行の各手順を実行することになる。このような解析手順自体は、本出願人がすでに出願している上記特許文献１や特開２００３−２９６３７１号公報等に開示されている。
【００４５】
以上が、本発明のＣＡＥ解析ナビゲーションシステムの基本的な処理動作の説明である。上記説明では、モデル画面１００とメニュー画面２００とが、表示部１の表示画面上に常に並んだ状態で表示されているが、本発明ではこの表示形態に自由度を持たせている。また、これらの解析処理を複数台の端末装置１０で作業分担しながら実行できるようにしたものである。以下、具体的に説明する。
【００４６】
＜本実施形態に係わるＣＡＥ解析の処理動作の一実施例の説明＞
本実施例では、上記で説明したＣＡＥ解析の基本動作を図１に示す複数台の端末装置１０Ａ，１０Ｂ，１０Ｃによって作業分担しながら実行する。
【００４７】
事前準備として、各端末装置１０Ａ，１０Ｂ，１０Ｃには、本発明のＣＡＥ解析処理プログラムがインストールされており、同一のモデルファイルが保存されている。
【００４８】
また、各端末装置の想定状況は次の通りである。（ａ）端末装置１０Ａの作業者が最初に解析作業を開始する。（ｂ）端末装置１０Ａの作業者は条件設定を得意としている。（ｃ）端末装置１０Ｂの作業者はメッシュ分割を得意としている。（ｄ）端末装置１０ＣはＣＡＥのＰｒｅ作業のみで、解析は行わない。
【００４９】
上記の条件に従って、以下、本発明に係わるＣＡＥ解析の処理手順について順次説明する。  
【００５０】
（１）解析作業のスタート
端末装置１０Ａの作業者は、本システムを立ち上げて、解析作業名を決定し、通信ネットワークＮに接続する。すなわち、ネットワーク上の指定解析作業に端末装置１０Ａを登録する。
【００５１】
一方、他の端末装置１０Ｂ，１０Ｃの作業者は、端末装置１０Ａが指定している解析作業に参加する。すなわち、ネットワーク上の指定解析作業に端末装置１０Ｂ，１０Ｃを登録する。
【００５２】
（２）解析モデルの読み込み
端末装置１０Ａの作業者は、解析モデルを読み込む。このとき、端末装置１０Ａから、指定解析作業に登録されている他の端末装置１０Ｂ，１０Ｃにモデル読み込み情報が送信される。
【００５３】
このモデル読み込み情報を受信した他の端末装置１０Ｂ，１０Ｃは、端末装置１０Ａが読み込んだモデルと同一のモデルを読み込む。
【００５４】
（３）解析条件編集
端末装置１０Ａの作業者は、次に解析内容に応じた解析条件（構造解析では、固定条件や負荷条件、流動解析では成形条件、熱解析では境界条件等）を編集する。端末装置１０Ａは、設定された解析条件情報を他の端末装置１０Ｂ，１０Ｃに送信する。
【００５５】
この解析条件情報を受信した他の端末装置１０Ｂ，１０Ｃは、端末装置１０Ａで設定された解析条件を編集する。これにより、端末装置１０Ａで設定された条件が端末装置１０Ｂ，１０Ｃにも反映される。
【００５６】
（４）条件確認
各端末装置１０Ａ，１０Ｂ，１０Ｃの作業者は、他の端末装置の操作者とメッセージの交換を行い、設定した解析条件についての確認を行う。ここで、各端末間のメッセージの送受信にはチャット機能を用いている。
【００５７】
（５）メッシュ分割開始
メッシュ分割は、端末装置１０Ｂの作業者が行う。すなわち、端末装置１０Ｂの作業者は、他の端末装置１０Ａ，１０Ｃにメッシュ分割の開始を通知する。
【００５８】
他の端末装置１０Ａ，１０Ｃの作業者は、端末装置１０Ｂからの開始通知を受信すると、これに応答して確認通知を返信する。ただし、他の端末装置１０Ａ，１０Ｃの作業者がメッシュ分割を行わない場合には、メッシュ分割を行わないことを端末装置１０Ｂに送信し、この時点で共同作業から抜けることになる。
【００５９】
端末装置１０Ｂの作業者は、他の端末装置１０Ａ，１０Ｃから確認通知を受信すると、メッシュ分割を開始する。
【００６０】
また、他の端末装置１０Ａ，１０Ｃの作業者も、端末装置１０Ｂの作業者が設定した条件に従ってメッシュ分割を開始する。
【００６１】
各端末装置１０Ａ，１０Ｂ，１０Ｃがメッシュ分割を終了するまで、各端末装置１０Ａ，１０Ｂ，１０Ｃの動作は制限される。
【００６２】
（６）メッシュ分割終了
メッシュ分割が終了すると、各端末装置１０Ａ，１０Ｂ，１０Ｃは、自装置でのメッシュ分割が終了した旨の通知を他の端末装置に送信する。
【００６３】
（７）解析開始
各端末装置１０Ａ，１０Ｂ，１０Ｃでのメッシュ分割を確認すると、端末装置１０Ｂの作業者は、解析作業を行う。すなわち、端末装置１０Ｂの作業者は、他の端末装置１０Ａ，１０Ｃに解析作業の開始を通知する。
【００６４】
他の端末装置１０Ａ，１０Ｃの作業者は、端末装置１０Ｂからの開始通知を受信すると、これに応答して確認通知を返信する。ただし、他の端末装置１０Ａ，１０Ｃの作業者が解析作業を行わない場合には、解析作業を行わないことを端末装置１０Ｂに送信し、この時点で共同作業から抜けることになる。本実施形態では、端末装置１０Ｃの作業者が、解析作業を行うことなく、この時点で共同作業から抜けることになる。
【００６５】
端末装置１０Ｂの作業者は、他の端末装置１０Ａ，１０Ｃから確認通知を受信すると、解析作業を開始する。また、他の端末装置１０Ａの作業者も、端末装置１０Ｂの作業者が設定した解析条件に従って解析作業を開始する。
【００６６】
各端末装置１０Ａ，１０Ｂが解析作業を終了するまで、各端末装置１０Ａ，１０Ｂの動作は制限される。
【００６７】
（８）  解析終了
解析作業が終了すると、各端末装置１０Ａ，１０Ｂは、自装置での解析作業が終了した旨の通知を他の端末装置に送信する。
【００６８】
（９）解析作業終了
解析作業の終了通知を受信後、各端末装置１０Ａ，１０Ｂの作業者は、他の端末装置の操作者とメッセージの交換を行って解析結果を確認した後、分担作業を終了して、この共同作業から抜ける。ただし、終了するのはネットワークでの共同作業のみであり、その後のレポート作成などは引き続き端末装置ごとに行うことになる。
【００６９】
以上が、本実施形態に係わるＣＡＥ解析の処理動作の一実施例の説明である。
【００７０】
次に、本発明の特徴であるＣＡＥ解析の進捗管理の処理動作について、作業状況管理と工数管理に分けて説明する。
【００７１】
＜本発明に係わるＣＡＥ解析の作業状況管理の処理動作の説明＞
上記のＣＡＥ解析の処理動作の一実施例でも説明したように、例えばメッシュ分割では、端末装置１０Ａ，１０Ｃの作業者が、端末装置１０Ｂの作業者が設定した条件に従ってメッシュ分割を開始する。そして、全端末装置１０Ａ，１０Ｂ，１０Ｃがメッシュ分割を終了するまで、各端末装置１０Ａ，１０Ｂ，１０Ｃの動作は制限される。そのため、例えば、端末装置１０Ａ，１０Ｂではメッシュ分割をすでに終了しているが、端末装置１０Ｃではまだメッシュ分割を終了していない場合には、端末装置１０Ａ，１０Ｂで次の解析処理を実施しようとしても実施できないといった事態が発生する。このような事態を少しでも回避するためには、各端末装置１０Ａ，１０Ｂ，１０ＣのＣＡＥ解析の進捗状況を把握して一元管理することが重要である。以下、進捗管理の具体例を挙げて説明する。
【００７２】
管理装置２０は、図３に示すように、進捗管理情報作成部２１と、進捗状況情報集計部２２とを備えている。
【００７３】
進捗管理情報作成部２１は、各種ＣＡＥ解析の解析作業を複数のステップに分けた進捗管理情報を作成する。ただし、ここで言う複数のステップは、図８に示すメニュー画面２００のステップ表示窓２０１に表示されている各ステップ（形状作成ステップ、メッシュ分割ステップ、材料物性値の設定ステップ、固定条件の設定ステップ、負荷条件の設定ステップ、解析実行ステップ、結果表示ステップ、レポート出力ステップ）と必ずしも１対１に対応している必要はない。例えば、メッシュ分割ステップをさらに複数のステップに分けてもよい。進捗管理において解析作業をどのようなステップに分けるかは、管理者が、解析にかかる時間等を考慮して進捗管理し易いように決定すればよい。
【００７４】
ここで、進捗管理情報は、作業予定工数（作業予定日数）と、管理者により作成された進捗確認ステップと、進捗状況情報を管理装置２０に送信するための管理者アドレスとを含んで構成されている。進捗確認ステップは、どの作業ステップの進捗状況をどのタイミングで管理装置２０に送信するのかといった処理がプログラムされた進捗確認プログラムによって実現されている。
【００７５】
ＣＡＥ解析の開始に先立ち、管理装置２０は、そのＣＡＥ解析の種類に対応した進捗管理情報を進捗管理情報作成部２１で作成し、進捗管理情報格納部２３に保存するとともに、解析を行う各端末装置１０ａ，１０Ｂ，１０Ｃに送信する。
【００７６】
各端末装置１０ａ，１０Ｂ，１０Ｃは、受け取った進捗管理情報を進捗管理情報格納部９に格納する。そして、ＣＡＥ解析の実行時、この受け取った進捗管理情報の進捗確認ステップに従って、予め設定されたタイミングで進捗状況情報を管理装置２０側に送信する。
【００７７】
図１７は、このときの進捗状況情報の送信処理をイメージ的に示した説明図である。この説明図では、１台の端末装置（例えば、１０Ａ）と管理装置２０との送信処理を例に挙げており、端末装置１０Ａでステップ１からステップ４までの作業を行ったときに発生する進捗確認の種類とタイミングとを示している。本発明では工数管理と納期管理とを行うことができるが、この実施例では工数管理を行っている。また、ステップ１，３，４は開始と終了を通知し、ステップ２は何も通知しないように進捗確認ステップが作成されているものとする。ただし、図１７では、ステップ３，４の開始時と終了時の通知を省略している。
【００７８】
（１）  作業開始
ＣＡＥ解析の作業を開始すると、端末装置１０Ａから、作業者名、作業日時、解析名などの情報を管理装置２０に送信する。管理装置２０の進捗状況情報集計部２５は、送信されてきたこれらの情報を、端末装置１０Ａに関連付けて進捗状況情報格納部２４に保存する。
【００７９】
（２）  ステップ１開始
ステップ１の開始時、端末装置１０Ａから、開始日時、作業名、予定工数、予定終了時間など、作業者の状況が判断できる情報を送信する。管理装置２０の進捗状況情報集計部２５は、送信されてきたこれらの情報を、端末装置１０Ａに関連付けて進捗状況情報格納部２４に保存する。
【００８０】
（３）ステップ１の終了
ステップ１の終了時、終了日時、端末装置１０Ａから、終了日時、作業名、予定工数、実際の作業工数、予定終了時間との差など、作業者がどのように工数を使ったかを判断できる情報を送信する。管理装置２０の進捗状況情報集計部２５は、送信されてきたこれらの情報を、端末装置１０Ａに関連付けて進捗状況情報格納部２４に保存する。
【００８１】
（４）ステップ２送信無し
ステップ２は何も送信しないように進捗確認ステップで設定されている。そのため、ステップ２では、進捗確認を行わず作業を進めている。
【００８２】
（５）ステップ３途中で中断
ステップ３の開始時、端末装置１０Ａから、開始日時、作業名、作業予定工数、予定終了時間など、作業者の状況が判断できる情報を送信する。管理装置２０では、送信されてきたこれらの情報を、端末装置１０Ａに関連付けて進捗状況情報格納部２４に保存する。この後、ステップ３の途中で作業を中断すると、中断時の情報を管理装置２０に送信する。管理装置２０の進捗状況情報集計部２５は、この中断時の情報を、端末装置１０Ａに関連付けて進捗状況情報格納部２４に保存する。また、中断情報は、端末装置１０Ａにも保存される。
【００８３】
（６）ステップ４工数オーバー
ステップ４の開始時、端末装置１０Ａから、開始日時、作業名、作業予定工数、予定終了時間など、作業者の状況が判断できる情報を送信する。管理装置２０では、送信されてきたこれらの情報を、端末装置１０Ａに関連付けて進捗状況情報格納部２４に保存する。この後、ステップ４の途中で予定作業工数をオーバーした場合には、作業が終わっていないことを管理装置２０に送信する。管理装置２０の進捗状況情報集計部２５は、この工数オーバー情報を、端末装置１０Ａに関連付けて進捗状況情報格納部２４に保存する。
【００８４】
（７）作業終了
全作業が終了すると、作業のスタート日時や終了時間、作業予定工数との差、ステップごとの終了時間などの情報を管理装置２０に送信する。管理装置２０の進捗状況情報集計部２５は、これらの情報を、端末装置１０Ａに関連付けて進捗状況情報格納部２４に保存する。
【００８５】
以上のようにして、各端末装置１０は、受け取った進捗確認ステップに従い、各ステップの進捗状況を、予め設定されたタイミングで管理装置２０に送信する。
【００８６】
＜本発明に係わるＣＡＥ解析の工数管理の処理動作の説明＞
ここでは、境界条件設定ステップの工数管理について説明する。
【００８７】
図１８は、管理装置２０の進捗管理情報作成部２２で作成された進捗管理情報の境界条件設定ステップ部分の一例を示している。
【００８８】
図１８において、境界条件設定の項目の右側に記載されている数値「０．５」が、境界条件設定ステップの工数を示しており、０．５は３０分を示している。境界条件設定ステップには、荷重点設定ステップ、荷重値設定ステップ、面圧面設定ステップ、圧力値設定ステップの４つのサブステップがあり、境界条件設定ステップの工数（０．５）は、これらサブステップのそれぞれの工数に分割されている。境界条件の設定を行う端末装置１０は、進捗管理情報の進捗確認ステップである境界条件設定ステップ（荷重点設定ステップ、荷重値設定ステップ、面圧面設定ステップ、圧力値設定ステップ）に従って、予め設定された各ステップの開始と終了のタイミングで作業状況情報を管理装置２０に送信する。
【００８９】
図１９は、このときの作業状況情報の送信処理を具体的に示した説明図である。この説明では、１台の端末装置１０Ａと管理装置２０との送信処理を例に挙げて説明する。
【００９０】
材料設定が既定の工数通りに終了し、次に境界条件の設定に着手する。このときの現在日時は、「２００４／０７／０１／１０：００」であるとする。
【００９１】
（１）境界条件設定開始
境界条件設定の作業を開始すると、端末装置１０Ａは、モデルＡ解析、作業者情報、境界条件設定開始時刻［１０：００］、作業予定工数［０．５］、予定終了時刻［１０：３０］、サブステップ数［４］、・・・などの情報を、例えば進捗管理情報格納部９の所定の領域に記録して保存するとともに、管理装置２０に送信する。管理装置２０の進捗状況情報集計部２５は、これらの情報を、端末装置１０Ａに関連付けて進捗状況情報格納部２４に保存する。
【００９２】
（２）荷重点設定開始
荷重点設定ステップを開始すると、端末装置１０Ａは、モデルＡ解析、作業者情報、荷重点設定開始時刻［１０：００］、作業予定工数［０．２５］、予定終了時刻［１０：１５］、ステップ内進捗数［０］、・・・などの情報を、例えば進捗管理情報格納部９の所定の領域に記録して保存するとともに、管理装置２０に送信する。管理装置２０の進捗状況情報集計部２５は、これらの情報を、端末装置１０Ａに関連付けて進捗状況情報格納部２４に保存する。
【００９３】
（３）荷重点設定終了
荷重点設定ステップを終了すると、端末装置１０Ａは、モデルＡ解析、作業者情報、荷重点設定終了時刻［１０：１８］、作業予定工数［０．２５］、予定終了時刻［１０：１５］、予定工数との差［０．０５］、ステップ内進捗数［０．５］、・・・などの情報を、例えば進捗管理情報格納部９の所定の領域に記録して保存するとともに、管理装置２０に送信する。管理装置２０の進捗状況情報集計部２５は、これらの情報を、端末装置１０Ａに関連付けて進捗状況情報格納部２４に保存する。この例では、荷重点設定の予定時間１５分に対し、実際には１８分かかっており、３分だけ予定工数をオーバーしている。その結果、予定工数との差が［０．０５（＝３分）］となっている。
【００９４】
（４）荷重値設定開始
荷重値設定ステップを開始すると、端末装置１０Ａは、モデルＡ解析、作業者情報、荷重値設定開始時刻［１０：１８］、作業予定工数［０．１５］、予定終了時刻［１０：２７］、ステップ内進捗数［０．５］、・・・などの情報を、例えば進捗管理情報格納部９の所定の領域に記録して保存するとともに、管理装置２０に送信する。管理装置２０の進捗状況情報集計部２５は、これらの情報を、端末装置１０Ａに関連付けて進捗状況情報格納部２４に保存する。
【００９５】
（５）荷重値設定終了
荷重値設定ステップを終了すると、端末装置１０Ａは、モデルＡ解析、作業者情報、荷重点設定終了時刻［１０：２４］、作業予定工数［０．１５］、予定終了時刻［１０：２７］、予定工数との差［０．００］、ステップ内進捗数［０．８］、・・・などの情報を、例えば進捗管理情報格納部９の所定の領域に記録して保存するとともに、管理装置２０に送信する。管理装置２０の進捗状況情報集計部２５は、これらの情報を、端末装置１０Ａに関連付けて進捗状況情報格納部２４に保存する。この例では、荷重値設定の予定時間９分に対し、実際には６分で終了しており、予定時間より３分だけ早く終了した結果、荷重点設定ステップで工数オーバーした３分を取り戻した形となっている。その結果、予定工数との差が［０．００（＝０分）］となっている。
【００９６】
（６）面圧面設定開始
面圧面設定ステップを開始すると、端末装置１０Ａは、モデルＡ解析、作業者情報、面圧面設定開始時刻［１０：２４］、作業予定工数［０．０５］、予定終了時刻［１０：２７］、ステップ内進捗数［０．８］、・・・などの情報を、例えば進捗管理情報格納部９の所定の領域に記録して保存するとともに、管理装置２０に送信する。管理装置２０の進捗状況情報集計部２５は、これらの情報を、端末装置１０Ａに関連付けて進捗状況情報格納部２４に保存する。
【００９７】
（７）面圧面設定終了
面圧面設定ステップを終了すると、端末装置１０Ａは、モデルＡ解析、作業者情報、面圧面設定終了時刻［１０：２７］、作業予定工数［０．０５］、予定終了時刻［１０：２７］、予定工数との差［０．００］、ステップ内進捗数［０．９］、・・・などの情報を、例えば進捗管理情報格納部９の所定の領域に記録して保存するとともに、管理装置２０に送信する。管理装置２０の進捗状況情報集計部２５は、これらの情報を、端末装置１０Ａに関連付けて進捗状況情報格納部２４に保存する。この例では、面圧面設定の予定時間３分に対し、予定通り３分で終了している。その結果、予定工数との差が［０．００（＝０分）］となっている。
【００９８】
（８）圧力値設定開始
圧力値設定ステップを開始すると、端末装置１０Ａは、モデルＡ解析、作業者情報、圧力値設定開始時刻［１０：２７］、作業予定工数［０．０５］、予定終了時刻［１０：３０］、ステップ内進捗数［０．９］、・・・などの情報を、例えば進捗管理情報格納部９の所定の領域に記録して保存するとともに、管理装置２０に送信する。管理装置２０の進捗状況情報集計部２５は、これらの情報を、端末装置１０Ａに関連付けて進捗状況情報格納部２４に保存する。
【００９９】
（９）圧力値設定終了
圧力値設定ステップを終了すると、端末装置１０Ａは、モデルＡ解析、作業者情報、圧力値設定終了時刻［１０：２９］、作業予定工数［０．０５］、予定終了時刻［１０：３０］、予定工数との差［−０．０１６］、ステップ内進捗数［１］、・・・などの情報を、例えば進捗管理情報格納部９の所定の領域に記録して保存するとともに、管理装置２０に送信する。管理装置２０の進捗状況情報集計部２５は、これらの情報を、端末装置１０Ａに関連付けて進捗状況情報格納部２４に保存する。この例では、圧力値設定の予定時間３分に対し、実際には２分で終了しており、予定時間より１分だけ早く終了している。その結果、予定工数との差が［−０．０１６（＝−１分）］となっている。
【０１００】
管理装置２０では、このような情報を端末装置１０Ａから随時受け取ることで、境界条件設定ステップの工数管理、すなわち、より詳細な４つのサブステップの工数管理を行うことが可能となる。なお、ここで示した境界条件設定ステップは一例であり、他のステップでも同様の情報を管理装置２０に送信するので、管理装置２０では、ＣＡＥ解析の全体的な進捗管理をトータル的に一元管理することが可能である。すなわち、管理装置２０では、端末装置１０で行われているＣＡＥ解析作業の進捗状況、すなわち、現在何ステップ目の作業まで進んでいるか、またその作業をどのくらいの工数で終えたのか、などの進捗状況を管理することができる。
【図面の簡単な説明】
【０１０１】
【図１】本発明のＣＡＥ解析ナビゲーションシステムのシステム構成を示すイメージ図である。
【図２】図１に示すＣＡＥ解析ナビゲーションシステムにおける端末装置の一実施形態を概念的に示したブロック図である。
【図３】表示部に表示されるモデル画面とメニュー画面の基本的配置構成例を示す説明図である。
【図４】データベースを開いたときの初期画面例を示す説明図である。
【図５】解析種類選択画面例を示す説明図である。
【図６】境界条件のケース数入力画面例を示す説明図である。
【図７】構造解析の場合の解析手順表示画面例を示す説明図である。
【図８】解析モデル選択画面例を示す説明図である。
【図９】形状作成画面例を示す説明図である。
【図１０】ＣＡＤファイル選択画面例を示す説明図である。
【図１１】ＣＡＤファイル選択画面例を示す説明図である。
【図１２】ＣＡＤファイル選択画面例を示す説明図である。
【図１３】モデル確認画面例を示す説明図である。
【図１４】解析手順表示画面例を示す説明図である。
【図１５】メッシュ分割画面例を示す説明図である。
【図１６】端末装置における固定条件の設定画面例を示す説明図である。
【図１７】進捗管理情報の進捗確認ステップに従って予め設定されたタイミングで進捗状況情報を端末装置から管理装置に送信するときの送信処理をイメージ的に示した説明図である。
【図１８】管理装置の進捗管理情報作成部で作成された進捗管理情報の境界条件設定ステップ部分の一例を示す説明図である。
【図１９】進捗管理情報の進捗確認ステップである境界条件設定ステップに従って予め設定された各ステップの開始と終了のタイミングで作業状況情報を端末装置から管理装置に送信する処理を具体的に示した説明図である。
【符号の説明】
【０１０２】
１  表示部
２  入力部
３  画面表示プログラム格納部
４  解析ノウハウ格納部
５  解析計算処理部
６  プリポスト
６１  演算部
６２  解析情報ファイル部
６３  解析結果ファイル部
７  ネットワークＩ／Ｆ
８  対話型制御部
８１  汎用解析手順ファイル部
８２  解析ノウハウ入出力部
９  進捗管理情報格納部
１０（１０Ａ，１０Ｂ，１０Ｃ）  端末装置
２０  管理装置
２１  制御部
２２  進捗管理情報作成部
２３  進捗管理情報格納部
２４  進捗状況情報格納部
２５  進捗状況情報集計部
２７  ネットワークＩ／Ｆ
２０８  設定履歴画面（電子掲示板）
２０９  チャット画面（電子掲示板）
Ｎ  通信ネットワーク
【図１】
2006048364.tif 000003
【図２】
2006048364.tif 000004
【図３】
2006048364.tif 000005
【図４】
2006048364.tif 000006
【図５】
2006048364.tif 000007
【図６】
2006048364.tif 000008
【図７】
2006048364.tif 000009
【図８】
2006048364.tif 000010
【図９】
2006048364.tif 000011
【図１０】
2006048364.tif 000012
【図１１】
2006048364.tif 000013
【図１２】
2006048364.tif 000014
【図１３】
2006048364.tif 000015
【図１４】
2006048364.tif 000016
【図１５】
2006048364.tif 000017
【図１６】
2006048364.tif 000018
【図１７】
2006048364.tif 000019
【図１８】
2006048364.tif 000020
【図１９】
2006048364.tif 000021
【手続補正書】
【提出日】平成17年11月15日(2005.11.15)
【手続補正１】
【補正対象書類名】特許請求の範囲
【補正対象項目名】全文
【補正方法】変更
【補正の内容】
【特許請求の範囲】
【請求項１】
ＣＡＥ解析の解析手順がプログラムとして格納されている複数台の端末装置と、ＣＡＥ解析の進捗状況を管理する管理装置とが通信ネットワークを介して接続されたＣＡＥ解析進捗管理システムであって、
前記各端末装置は、各端末装置からの個別の入力により、一つの解析対象物に対し前記通信ネットワークを通じて連係してＣＡＥ解析の解析作業を実行可能に設けられており、
前記管理装置は、ＣＡＥ解析の解析作業を複数のステップに分けた進捗確認ステップを含む進捗管理情報を作成して各端末装置に送信し、
各端末装置は、受け取った進捗確認ステップによって決定されたタイミングで、自らの装置が担当している１または複数のステップの解析作業の進捗状況情報を前記管理装置に送信し、
前記管理装置は、進捗確認ステップによって決定されたタイミングで各端末装置から送信されてくる進捗状況情報を集計することによって各端末装置で連係して行われているＣＡＥ解析作業の進捗状況を一元管理することを特徴とするＣＡＥ解析進捗管理システム。
【請求項２】
前記進捗管理情報は、作業予定工数と、進捗状況情報を前記管理装置に送信するための管理者情報とをさらに含むことを特徴とする請求項１に記載のＣＡＥ解析進捗管理システム。
【請求項３】
前記端末装置は、解析作業を開始すると前記進捗管理情報に従って作業状況を記録することを特徴とする請求項１または請求項２に記載のＣＡＥ解析進捗管理システム。
【手続補正２】
【補正対象書類名】明細書
【補正対象項目名】０００９
【補正方法】削除
【補正の内容】
【手続補正３】
【補正対象書類名】明細書
【補正対象項目名】００１０
【補正方法】変更
【補正の内容】
【００１０】
本発明のＣＡＥ解析進捗管理システムは、ＣＡＥ解析の解析手順がプログラムとして格納されている複数台の端末装置と、ＣＡＥ解析の進捗状況を管理する管理装置とが通信ネットワークを介して接続されたＣＡＥ解析進捗管理システムであって、前記各端末装置は、各端末装置からの個別の入力により、一つの解析対象物に対し前記通信ネットワークを通じて連係してＣＡＥ解析の解析作業を実行可能に設けられており、前記管理装置は、ＣＡＥ解析の解析作業を複数のステップに分けた進捗確認ステップを含む進捗管理情報を作成して各端末装置に送信し、各端末装置は、受け取った進捗確認ステップによって決定されたタイミングで、自らの装置が担当している１または複数のステップの解析作業の進捗状況情報を前記管理装置に送信し、前記管理装置は、進捗確認ステップによって決定されたタイミングで各端末装置から送信されてくる進捗状況情報を集計することによって各端末装置で連係して行われているＣＡＥ解析作業の進捗状況を一元管理することを特徴とする。
【手続補正４】
【補正対象書類名】明細書
【補正対象項目名】００１１
【補正方法】変更
【補正の内容】
【００１１】
この場合、前記進捗管理情報は、作業予定工数、進捗状況情報を前記管理装置に送信するための管理者情報などをさらに含んでいる。